(57)【特許請求の範囲】
【請求項１】
車両の各車輪ごとに設けられた減衰力可変ダンパの制御方法であって、
横加速度センサにより横加速度を検出する横加速度検出過程と、
ヨーレイトセンサによりヨーレートを検出するヨーレート検出過程と、
車速センサにより車速を検出する車速検出過程と、
前記横加速度、前記ヨーレートおよび前記車速に基づいて前記ダンパの各々に発生させる減衰力目標値を設定する減衰力設定過程と、
前記減衰力目標値に基づいて前記ダンパに減衰力を発生させる駆動電流を設定する駆動電流設定過程とを備え、
前記減衰力設定過程が、車両の旋回時のロールを抑制するためのロール制御過程を有し、
このロール制御過程が、
前記横加速度を微分して横加速度微分値を取得する過程と、
前記ヨーレートを２階微分してヨーレート２階微分値を取得する過程と、
前記ヨーレート２階微分値に基づく補正値で前記横加速度微分値を補正して補正済み横加速度微分値を取得する過程と、
前記補正済み横加速度微分値にゲインを乗算して前記減衰力目標値を求める過程とを有し、
前記ゲインは、前輪側と後輪側とで別々に設定され、所定の車速より低い速度領域では前輪側のみが立ち上がり、前記所定の車速より高い速度領域では後輪側が車速が高くなるのに従って徐々に増大するように設定されるとともに、車両の旋回初期には前輪側が先に立ち上がった後に後輪側が立ち上がるように設定され、
前記ロール制御過程または前記駆動電流設定過程が、車両の旋回状態を判別する旋回状態判別手段により車両が旋回中と判別されると、前輪のみを対象にして旋回外輪側よりも遅れて旋回内輪側の減衰力が発生するように制御する遅延処理過程を有し、
車両の旋回初期に、前輪側の旋回外輪、前輪側の旋回内輪、後輪側の両輪の順で減衰力が発生するように制御することを特徴とする減衰力可変ダンパの制御方法。
【請求項２】
車両の各車輪ごとに設けられた減衰力可変ダンパの制御装置であって、
横加速度を検出する横加速度センサと、
ヨーレートを検出するヨーレイトセンサと、
車速を検出する車速センサと、
前記横加速度、前記ヨーレートおよび前記車速に基づいて前記ダンパの各々に発生させる減衰力目標値を設定する減衰力設定部と、
前記減衰力目標値に基づいて前記ダンパに減衰力を発生させる駆動電流を設定する駆動電流設定部とを備え、
前記減衰力設定部が、車両の旋回時のロールを抑制するためのロール制御部を有し、
このロール制御部が、
前記横加速度を微分して横加速度微分値を取得する手段と、
前記ヨーレートを２階微分してヨーレート２階微分値を取得する手段と、
前記ヨーレート２階微分値に基づく補正値で前記横加速度微分値を補正して補正済み横加速度微分値を取得する手段と、
前記補正済み横加速度微分値にゲインを乗算して前記減衰力目標値を求める手段とを有し、
前記ゲインは、前輪側と後輪側とで別々に設定され、所定の車速より低い速度領域では前輪側のみが立ち上がり、前記所定の車速より高い速度領域では後輪側が車速が高くなるのに従って徐々に増大するように設定されるとともに、車両の旋回初期には前輪側が先に立ち上がった後に後輪側が立ち上がるように設定され、
前記ロール制御部または前記駆動電流設定部が、車両の旋回状態を判別する旋回状態判別手段により車両が旋回中と判別されると、前輪のみを対象にして旋回外輪側よりも遅れて旋回内輪側の減衰力が発生するように制御する遅延処理部を有し、
車両の旋回初期に、前輪側の旋回外輪、前輪側の旋回内輪、後輪側の両輪の順で減衰力が発生するように制御することを特徴とする減衰力可変ダンパの制御装置。
【発明の詳細な説明】
【技術分野】
【０００１】
本発明は、前後左右の各車輪ごとに設けられて各車輪ごとに減衰力を個別に調整可能な減衰力可変ダンパの制御方法及び制御装置に関するものである。
【背景技術】
【０００２】
自動車用サスペンションを構成するダンパでは、近年、操縦安定性と乗り心地とを高い次元で両立させるために、自動車の運動状態に応じて減衰力を可変制御する減衰力可変型のものが採用されている。
【０００３】
この種の可変減衰力ダンパの制御では、車体の運動状態に基づいてダンパに発生させるべき目標減衰力を設定するが、特に車両の旋回に伴う横加速度と車両のヨーイングに伴う横加速度に基づいて目標減衰力を設定することで、ロールの抑制を効果的に行うようにした技術が知られている（特許文献１）。
【特許文献１】特開２００６−２８１８７６号公報
【発明の開示】
【発明が解決しようとする課題】
【０００４】
しかるに、前記従来の技術に基づいて、ロール抑制制御を行う際に、転舵輪である前輪側で先にヨーを発生するという車両特性に応じるため、前輪側のゲインを先に立ち上げた後に、後輪側のゲインを立ち上げて、前輪側が後輪側よりも早く減衰力が増大するように制御することで、車両の操縦安定性を高めることができる。
【０００５】
ところが、前輪側の減衰力を後輪側より先に増大する制御とすると、減衰力の発生に応じて前輪の旋回内輪側の接地荷重が低下するため、後輪側に対して前輪側のコーナリングフォースが不足して、ステアフィール、すなわちステアリングを切った際の車両の旋回応答性が低下する虞があり、ステアフィールを確保する制御手法が望まれる。一方、これとは逆に回頭性を抑えて操縦安定性の向上が必要となる場合もあり、ステアフィール及び操縦安定性といった車両の運動特性を所望の特性に変化させることの可能な制御手法が望まれる。
【０００６】
本発明は、このような従来技術の問題点を解消するべく案出されたものであり、その主な目的は、ステアフィール及び操縦安定性といった車両の運動特性を所望の特性に変化させることができるように構成された減衰力可変ダンパの制御方法及び制御装置を提供することにある。
【課題を解決するための手段】
【０００７】
このような課題を解決するために、本発明では、請求項１に示すとおり、車両（Ｖ）の各車輪（３）ごとに設けられた減衰力可変ダンパ（４）の制御方法において、横加速度センサ（１０）により横加速度を検出する横加速度検出過程と、ヨーレイトセンサ（１２）によりヨーレートを検出するヨーレート検出過程と、車速センサ（９）により車速を検出する車速検出過程と、前記横加速度、前記ヨーレートおよび前記車速に基づいて前記ダンパの各々に発生させる減衰力目標値を設定する減衰力設定過程と、前記減衰力目標値に基づいて前記ダンパに減衰力を発生させる駆動電流を設定する駆動電流設定過程とを備え、前記減衰力設定過程が、車両の旋回時のロールを抑制するためのロール制御過程を有し、このロール制御過程が、前記横加速度を微分して横加速度微分値を取得する過程と、前記ヨーレートを２階微分してヨーレート２階微分値を取得する過程と、前記ヨーレート２階微分値に基づく補正値で前記横加速度微分値を補正して補正済み横加速度微分値を取得する過程と、前記補正済み横加速度微分値にゲインを乗算して前記減衰力目標値を求める過程とを有し、前記ゲインは、前輪側と後輪側とで別々に設定され、所定の車速より低い速度領域では前輪側のみが立ち上がり、前記所定の車速より高い速度領域では後輪側が車速が高くなるのに従って徐々に増大するように設定されるとともに、車両の旋回初期には前輪側が先に立ち上がった後に後輪側が立ち上がるように設定され、前記ロール制御過程または前記駆動電流設定過程が、車両の旋回状態を判別する旋回状態判別手段により車両が旋回中と判別されると、前輪のみを対象にして旋回外輪側よりも遅れて旋回内輪側の減衰力が発生するように制御する遅延処理過程を有し、車両の旋回初期に、前輪側の旋回外輪、前輪側の旋回内輪、後輪側の両輪の順で減衰力が発生するように制御するものとした。
【０００８】
また、本発明では、請求項２に示すとおり、車両（Ｖ）の各車輪（３）ごとに設けられた減衰力可変ダンパ（４）の制御装置（ＥＣＵ７）において、横加速度を検出する横加速度センサ（１０）と、ヨーレートを検出するヨーレイトセンサ（１２）と、車速を検出する車速センサ（９）と、前記横加速度、前記ヨーレートおよび前記車速に基づいて前記ダンパの各々に発生させる減衰力目標値を設定する減衰力設定部（５２）と、前記減衰力目標値に基づいて前記ダンパに減衰力を発生させる駆動電流を設定する駆動電流設定部（５３）とを備え、前記減衰力設定部が、車両の旋回時のロールを抑制するためのロール制御部（５８・１０１）を有し、このロール制御部が、前記横加速度を微分して横加速度微分値を取得する手段（微分器６３）と、前記ヨーレートを２階微分してヨーレート２階微分値を取得する手段（２階微分器６４）と、前記ヨーレート２階微分値に基づく補正値で前記横加速度微分値を補正して補正済み横加速度微分値を取得する手段（加算器６６）と、前記補正済み横加速度微分値にゲインを乗算して前記減衰力目標値を求める手段（乗算器６７）とを有し、前記ゲインは、前輪側と後輪側とで別々に設定され、所定の車速より低い速度領域では前輪側のみが立ち上がり、前記所定の車速より高い速度領域では後輪側が車速が高くなるのに従って徐々に増大するように設定されるとともに、車両の旋回初期には前輪側が先に立ち上がった後に後輪側が立ち上がるように設定され、前記ロール制御部または前記駆動電流設定部が、車両の旋回状態を判別する旋回状態判別手段（旋回状態判別部５５）により車両が旋回中と判別されると、前輪のみを対象にして旋回外輪側よりも遅れて旋回内輪側の減衰力が発生するように制御する遅延処理部（５６・１０３）を有し、車両の旋回初期に、前輪側の旋回外輪、前輪側の旋回内輪、後輪側の両輪の順で減衰力が発生するように制御するものとした。
【００１０】
これによると、前輪の旋回内輪側の減衰力の発生を遅らせるため、前輪の旋回内輪の接地荷重の低減が抑えられ、これにより前輪側のコーナリングフォースの低下が抑制されるため、前輪側のコーナリングフォースが後輪側より大きな値を示し、車両の回頭性、つまりステアフィールを向上させることができる。
【００１１】
この場合、減衰力目標値に基づいてダンパの駆動電流を設定する過程で、所要の応答特性を有する遅延回路などを用いて、旋回外輪側よりも遅れて旋回内輪側のダンパの駆動電流が立ち上がるように構成すれば良い。また、減衰力目標値を設定する過程で、旋回内輪側の減衰力目標値の増大を遅らせる処理を行う構成とすることも可能である。
【００１２】
また、旋回状態判別手段は、例えば横加速度センサにより検出された横加速度から車両が旋回中か否かを判別し、さらにその旋回方向から旋回内輪を判別するものとすれば良い。
【００１３】
特に、減衰力可変ダンパが、シリンダ内に磁気粘性流体が充填され、ピストンに設けられた磁気流体バルブのコイルに対する印加電流の調整により、磁気粘性流体の見かけ上の粘度を増減して減衰力を制御する構成のものとすると良い。これによると、応答速度が高いため、ステアフィール及び操縦安定性の向上効果をより実効あるものとすることができる。
【発明の効果】
【００１４】
このように本発明によれば、前輪の旋回内輪側に対する遅延制御によりステアフィールを向上させることができる。
【発明を実施するための最良の形態】
【００１５】
以下、本発明の実施の形態を、図面を参照しながら説明する。
【００１６】
図１は、本発明が適用される４輪自動車の概略構成を示す模式図である。ここで、４つの車輪やそれらに対して配置された部材、すなわち、タイヤやサスペンション等については、それぞれ数字の符号に前後左右を示す添字を付して、例えば、車輪３ｆｌ（左前）、車輪３ｆｒ（右前）、車輪３ｒｌ（左後）、車輪３ｒｒ（右後）と記す一方、総称する場合には、例えば、車輪３と記す。
【００１７】
この車両Ｖは、タイヤ２が装着された前後左右の４つの車輪３を備えており、これら各車輪３がサスペンションアームや、スプリング、ダンパ４等からなるサスペンション５によって車体１に懸架されている。
【００１８】
また、この車両Ｖには、サスペンションシステムの制御主体であるＥＣＵ（Electronic Control Unit）７や、ＥＰＳ（Electric Power Steering：電動パワーステアリング）８が設置され、さらに車速を検出する車速センサ９、横加速度を検出する横Ｇセンサ１０、前後加速度を検出する前後Ｇセンサ１１、ヨーレイトを検出するヨーレイトセンサ１２等が車体１の適所に設置されるとともに、ダンパ４の伸縮量を検出するストロークセンサ１３と、ホイールハウス付近の上下加速度を検出する上下Ｇセンサ１４とが各車輪３ごとに設置されている。
【００１９】
ＥＣＵ７は、マイクロコンピュータやＲＯＭ、ＲＡＭ、周辺回路、入出力インタフェース、各種ドライバ等から構成されており、通信回線（ＣＡＮ（Controller Area Network））を介して各車輪３のダンパ４や各センサ９〜１４と接続されている。
【００２０】
ダンパ４は、磁気粘性流体（Magneto-Rheological Fluid：以下、ＭＲＦと記す）を作動流体とする減衰力可変型ダンパであり、ＥＣＵ７にて、センサ９〜１４の検出結果に基づいて、各車輪３のダンパ４ごとの減衰力が個別に制御される。
【００２１】
図２は、図１に示したダンパ４の縦断面図である。このダンパ４は、モノチューブ式（ド・カルボン式）であり、ＭＲＦが充填された円筒状のシリンダチューブ２１と、このシリンダチューブ２１に対して軸方向に相対動するピストンロッド２２と、ピストンロッド２２の先端に装着されてシリンダチューブ２１内を上部油室２４と下部油室２５とに区画するピストン２６と、シリンダチューブ２１の下部に高圧ガス室２７を画成するフリーピストン２８と、ピストンロッド２２等への塵埃の付着を防ぐカバー２９と、フルバウンド時における緩衝を行うバンプストップ３０とを主要構成要素としている。
【００２２】
シリンダチューブ２１は、下端のアイピース２１ａに嵌挿されたボルト３１を介して、車輪側部材であるトレーリングアーム３５の上面に連結されている。また、ピストンロッド２２は、上下一対のブッシュ３６とナット３７とを介して、その上端のスタッド２２ａが車体側部材であるダンパベース（ホイールハウス上部）３８に連結されている。
【００２３】
ピストン２６には、上部油室２４と下部油室２５とを連通する連通路３９と、この連通路３９に沿って配置された磁気流体バルブ（Magnetizable Liquid Valve：以下、ＭＬＶと記す）を構成するＭＬＶコイル４０とが設けられている。ＥＣＵ７からＭＬＶコイル４０に電流が供給されると、連通路３９を通過するＭＲＦに磁界が印可されて強磁性微粒子が鎖状のクラスタを形成し、連通路３９内を通過するＭＲＦの見かけ上の粘度が上昇し、これに応じて減衰力が増大する。
【００２４】
図３は、図１に示したＥＣＵ７における減衰力制御に係る要部の概略構成を示すブロック図である。図４は、図３に示したロール制御部５８の概略構成を示すブロック図である。図５は、図３に示したロール制御部５８で用いられる車速マップである。図６は、図３に示した駆動電流設定部５３で用いられる目標電流マップである。
【００２５】
ＥＣＵ７は、図３に示すように、上述した各センサ９〜１４等が接続する入力インタフェース５１と、センサ９〜１２・１４等から入力した検出信号に基づき各ダンパ４の目標減衰力を設定する減衰力設定部５２と、減衰力設定部５２で設定された目標減衰力とストロークセンサ１３の検出結果とに応じて各ダンパ４（ＭＬＶコイル４０）への駆動電流を設定する駆動電流設定部５３と、駆動電流設定部５３で設定された駆動電流を各ダンパ４に出力する出力インタフェース５４とを有している。
【００２６】
減衰力設定部５２は、スカイフック制御部５７と、ロール制御部５８と、ピッチ制御部５９とを有している。ロール制御部５８及びピッチ制御部５９は、車両の旋回時のローリングや車両の急加速時や急減速時のピッチングを抑えて車体の姿勢を適正化する車体姿勢制御を行うものである。スカイフック制御部５７は、路面の凹凸を乗り越える際の車両の動揺を抑えて乗り心地を高める乗り心地制御（制振制御）を行うものである。
【００２７】
ロール制御部５８は、図４に示すように、ローパスフィルタ６１・６２、微分器６３、２階微分器６４、ヨーレートゲイン乗算器６５、加算器６６、横加速度ゲイン乗算器６７、車速マップ６８、符号判定器６９、及び押し引きゲイン乗算器７０を備えている。これらは、各ダンパ４ごとの目標減衰力を求めるために必要に応じて各ダンパ４ごとの演算を行う。
【００２８】
ここでは、横Ｇセンサ１０で検出された横加速度Ｇｙが、ローパスフィルタ６１により操舵によらない通常走行中の横加速度成分が除去された後、微分器６３に入力され、ここで横加速度の微分値 ｄＧｙ／ｄｔが算出される。
【００２９】
また、ヨーレートセンサ１２で検出されたヨーレートγが、ローパスフィルタ６２により操舵によらない通常走行中のヨーレート成分が除去された後、２階微分器６４に入力され、ここでヨーレートの２階微分値 が算出される。ついで、このヨーレートの２階微分値がヨーレートゲイン乗算器６５に入力され、ここで車両の重心位置から前輪３ｆｌ・３ｆｒ及び後輪３ｒｌ・３ｒｒのサスペンション５までの距離Ｌｆ・Ｌｒ（図１参照）を乗算して、車両のヨーイングに伴う前輪３ｆｌ・３ｆｒ及び後輪３ｒｌ・３ｒｒの位置での横加速度微分値の補正値ｄ2γ／ｄｔ2×Ｌｆ・ｄ2γ／ｄｔ2×Ｌｒが算出される。
【００３０】
そして、前輪側の横加速度微分値（ｄＧｙ／ｄｔ）Fと、前輪側の横加速度微分値の補正値ｄ2 γ／ｄｔ2 ×Ｌｆとが加算器６６に入力され、前輪側の補正済み横加速度微分値（ｄＧｙ／ｄｔ）F＋ｄ2γ／ｄｔ2×Ｌｆが算出され、また後輪側の横加速度微分値（ｄＧｙ／ｄｔ）Rと、後輪側の横加速度微分値の補正値ｄ2γ／ｄｔ2×Ｌｒとが加算器６６に入力され、後輪側の補正済み横加速度微分値（ｄＧｙ／ｄｔ）R＋ｄ2γ／ｄｔ2×Ｌｒが算出される。
【００３１】
一方、車速マップ６８にて、図５に示すように、車速センサ９で検出した車速Ｖから前輪側及び後輪側の横加速度ゲインが求められ、この前輪側及び後輪側の横加速度ゲインが、横加速度ゲイン乗算器６７にて、加算器６６にて算出された前輪側及び後輪側の補正済み横加速度微分値に乗算される。さらに、加算器６６にて算出された前輪側及び後輪側の補正済み横加速度微分値の符号が符号判定器６９で判定され、車両に作用する横加速度で収縮及び伸長のいずれになるかに応じて異なる押し引きゲインが押し引きゲイン乗算器７０にて乗算され、前輪側及び後輪側の目標減衰力が求められる。
【００３２】
このようにしてロール制御部５８にて目標減衰力が求められるが、これに並行して、スカイフック制御部５７及びピッチ制御部５９でも目標減衰力が求められ、ダンパ４が伸び側に作動している場合には、スカイフック制御、ロール制御、及びピッチ制御で求められた３つの目標減衰力のうち値が最も大きいものが目標減衰力として採用され、またダンパ４が縮み側に作動している場合には、３つの目標減衰力のうち値が最も小さいものが目標減衰力として採用される。
【００３３】
以上のようにして減衰力設定部５２にて目標減衰力が設定されると、図３に示したように、駆動電流設定部５３にて、減衰力設定部５２で求めた目標減衰力と、ストロークセンサ１３の検出値から求められるストローク速度とから、図６に示す目標電流マップを参照して目標電流が設定され、この目標電流に各ダンパ４のＭＬＶコイル４０の実電流が近づくようにフィードバック制御される。
【００３４】
なお、減衰力設定部５２では、車両の旋回初期に転舵輪である前輪３ｆｌ・３ｆｒ側で先にヨーを発生するという車両特性に応じるため、前輪３ｆｌ・３ｆｒ側のゲインを先に立ち上げた後に、後輪３ｒｌ・３ｒｒ側のゲインを立ち上げて、前輪３ｆｌ・３ｆｒ側が後輪３ｒｌ・３ｒｒ側よりも早く減衰力が大きくなるように制御される。
【００３５】
ところで、ＥＣＵ７には、図３に示したように、横Ｇセンサ１０で検出された横加速度に基づいて車両の旋回状態を判別する旋回状態判別部５５が設けられている。この旋回状態判別部５５では、横Ｇセンサ１０で検出された横加速度から車両が旋回中か否かを判別し、さらにその旋回方向に基づいて旋回内輪を判別する。
【００３６】
また、駆動電流設定部５３には、旋回内輪側のダンパ４の駆動電流に対して遅延制御を行う遅延処理部５６が設けられている。この遅延処理部５６では、前輪３ｆｌ・３ｆｒ側に対して遅延制御を行う場合には、旋回状態判別部５５により判定された前輪３ｆｌ・３ｆｒの旋回内輪側の駆動電流の立ち上がりを遅延させ、前輪３ｆｌ・３ｆｒの旋回内輪側の減衰力の発生タイミングを前輪の旋回外輪側より遅らせる。また、後輪３ｒｌ・３ｒｒ側に対して遅延制御を行う場合には、後輪３ｒｌ・３ｒｒの旋回内輪側の駆動電流の立ち上がりを遅延させ、後輪３ｒｌ・３ｒｒの旋回内輪側の減衰力の発生タイミングを後輪の旋回外輪側より遅らせる。
【００３７】
図７・図８は、図１に示した車両における旋回走行時のコーナリングフォース及びダンパ減衰力の発生状況を示す模式図であり、図７に、前輪の旋回内輪側に対して遅延制御を行った場合を、図８に、後輪の旋回内輪側に対して遅延制御を行った場合をそれぞれ示す。なお、ここでは、左旋回の例を示すが、右旋回ではこれと左右対称に現れる。図９は、前輪及び後輪の旋回内輪側に対して遅延制御を行った場合のヨー角加速度の変化状況に関するシミュレーション結果を示すグラフである。
【００３８】
車両Ｖが旋回を始めると、転舵輪である前輪３ｆｌ・３ｆｒ側で後輪３ｒｌ・３ｒｒ側に先行してヨーが発生し、これに対応するため、図７（Ａ）に示すように、前輪３ｆｌ・３ｆｒ側のダンパ減衰力が後輪３ｒｌ・３ｒｒ側より早く立ち上がるように制御する。
【００３９】
ここで、図７（Ｂ）に示すように、前輪の旋回内輪３ｆｌ側において減衰力の発生タイミングを遅らせるように制御すると、前輪の旋回内輪３ｆｌの接地荷重の低減が抑えられ、前輪３ｆｌ・３ｆｒ側のコーナリングフォースの低下が抑制される。このため、前輪３ｆｌ・３ｆｒ側のコーナリングフォースは後輪３ｒｌ・３ｒｒ側より大きな値を示し、図９に示すように、ヨー角加速度が大きく発生し、車両の回頭性、つまりステアフィールを向上させることができる。
【００４０】
また、図８（Ｂ）に示すように、後輪の旋回内輪３ｒｌ側において減衰力の発生タイミングを遅らせるように制御すると、後輪の旋回内輪３ｒｌの接地荷重の低減が抑えられ、後輪３ｒｌ・３ｒｒ側のコーナリングフォースの低下が抑制される。このため、後輪３ｒｌ・３ｒｒ側のコーナリングフォースは前輪３ｆｌ・３ｆｒ側より大きな値を示し、図９に示すように、ヨー角加速度が小さくなり、横加速度の応答性が向上すると共に、回頭性を抑えて操縦安定性を向上させることができる。
【００４１】
以上のように、ロール抑制制御を行う際に、転舵輪である前輪側で先にヨーを発生するという車両特性に応じるため、前輪側のゲインを先に立ち上げた後に、後輪側のゲインを立ち上げて、前輪側が後輪側よりも早く減衰力が大きくなるように制御することで、車両の操縦安定性を高めることができ、さらにこの前後輪間の減衰力の発生タイミングの設定に加え、前輪の旋回内輪あるいは後輪の旋回内輪に対して遅延制御を行うことで、ステアフィール及び操縦安定性といった車両の運動特性を所望の特性に変化させることができる。
【００４２】
なお、図９では、車体重量比の異なる例を示しており、前輪及び後輪の旋回内輪側に対して遅延制御を行った場合のヨー角加速度の変化状況に関する特性は、車体重量比には影響されない。
【００４３】
図１０は、図１に示したＥＣＵ７に設けられるロール制御部の別の例を示すブロック図である。ここでは、ロール制御部１０１内で遅延処理が行われ、その他の構成は前記の例と同様であるが、図３に示した旋回状態判別部５５及び駆動電流設定部５３内の遅延処理部５６は不要である。
【００４４】
このロール制御部１０１には、横Ｇセンサ１０で検出された横加速度に基づいて車両の旋回状態を判別する旋回状態判別部１０２が設けられており、この旋回状態判別部１０２では、横加速度から車両が旋回中か否かを判別し、さらにその旋回方向を判定して、旋回内輪及び旋回外輪の別に応じて旋回内輪用及び旋回外輪用のゲインを、各輪ごとに設けられた遅延処理用乗算器１０３に出力する。
【００４５】
旋回内輪用及び旋回外輪用のゲインは、前輪３ｆｌ・３ｆｒの旋回内輪側の減衰力の発生タイミングを前輪の旋回外輪側より遅らせ、また、後輪３ｒｌ・３ｒｒの旋回内輪側の減衰力の発生タイミングを後輪の旋回外輪側より遅らせるように設定されており、旋回内輪用及び旋回外輪用のゲインを、乗算器１０３にて、押し引きゲイン乗算器７０から出力された前輪側及び後輪側の目標減衰力に乗算することで、前記と同様に前輪及び後輪の旋回内輪側に対する遅延制御が行われる。
【００４６】
以下に、旋回内輪側の減衰力の発生を遅らせる制御によりコーナリングフォースを増大させてステアフィールや操縦安定性の向上を図ることができる理由について詳しく説明する。
【００４７】
図１１は、前輪の旋回内輪側に対して遅延制御を行った場合の前後輪の旋回内輪及び旋回外輪の荷重変化状況を示す模式図であり、（Ａ）に前輪側を、（Ｂ）に後輪側をそれぞれ示している。なお、ここでは、図７・図８と同様に、左旋回の例を示すが、右旋回ではこれと左右対称に現れる。
【００４８】
車両が旋回を始めた際に、図７（Ｂ）に示したように、前輪の旋回内輪３ｆｌ側において減衰力の発生タイミングを遅らせるように制御すると、旋回開始直後の減衰力は、図１１（Ａ）に示すように、前輪の旋回内輪３ｆｌで小さく、前輪の旋回外輪３ｆｒで大きくなり、このような減衰力の違いにより、過渡的な荷重変化量が旋回内輪３ｆｌと旋回外輪３ｆｒとで異なり、旋回外輪３ｆｒの荷重変化量（増大量）に比較して、旋回内輪３ｆｌの荷重変化量（減少量）が小さくなる。
【００４９】
ここで、旋回外輪３ｆｒの減衰力を大きくすると、車体１にジャッキアップが発生し、この車体１のジャッキアップ時の慣性力により、旋回内輪３ｆｌ及び旋回外輪３ｆｒの荷重の総和が大きくなり、このとき、下向きの慣性力と同じ向きとなる旋回外輪３ｆｒの荷重変化量は慣性力分だけ大きくなり、慣性力と逆向きになる旋回内輪３ｆｌの荷重変化量は慣性力分だけ小さくなる。
【００５０】
一方、後輪３ｒｌ・３ｒｒ側においては、図１１（Ｂ）に示すように、旋回開始直後の減衰力を、旋回内輪３ｒｌと旋回外輪３ｒｒとで同一とすると、過渡的な荷重変化量は旋回内輪３ｒｌと旋回外輪３ｒｒとで同一となる。
【００５１】
図１２は、操舵直後の前輪及び後輪の荷重変化状況を示すものであり、（Ａ）は操舵後の前輪及び後輪の荷重の経時変化を示すグラフであり、（Ｂ）は前輪及び後輪の荷重変化状況を示す模式図である。
【００５２】
運転者による操舵の直後の過渡領域では、前輪３ｆｌ・３ｆｒ及び後輪３ｒｌ・３ｒｒの荷重が増大し、特に前輪３ｆｌ・３ｆｒの荷重変化量が後輪３ｒｌ・３ｒｒの荷重変化量を上回る状態となる。なお、後輪３ｒｌ・３ｒｒ側においては、図１１（Ｂ）の例のように、過渡的な荷重変化量が旋回内輪３ｒｌと旋回外輪３ｒｒとで同一となると、相殺されて後輪の荷重変化量はなくなるが、いずれしても、後輪３ｒｌ・３ｒｒと比較して前輪３ｆｌ・３ｆｒの荷重が増大することが重要となり、これより前輪側のコーナリングフォースを増大させることができる。
【００５３】
次式は、ヨー角加速度の計算式である。
Ｉ（ｄγ／ｄｔ）＝Ｌｆ（Ｙｆｌ＋Ｙｆｒ）−Ｌｒ（Ｙｒｌ＋Ｙｒｒ）  （式１）
ここで、Ｉはヨー慣性モーメント、γはヨーレート、Ｌｆ及びＬｒは重心点と前後輪車軸間の距離、Ｙｆｌ、Ｙｆｒ、Ｙｒｌ及びＹｒｒは各タイヤに発生するコーナリングフォースである。この式から明らかなように、前輪３ｆｌ・３ｆｒの荷重が増大して前輪３ｆｌ・３ｆｒのコーナリングフォース（Ｙｆｌ＋Ｙｆｒ）が増大すると、ヨー角加速度（ｄγ／ｄｔ、ヨーレートγの時間微分値）が増加する。
【００５４】
以上のように、車両が旋回を始めた際に、前輪の旋回内輪側の減衰力の発生を遅らせる制御を行うと、前輪側で荷重が過渡的に増えた状態となり、これによりヨー角加速度が顕著になるため、運転者が操舵した直後に感じる車両の回頭性、つまりステアフィールが向上する。
【００５５】
一方、車両が旋回を始めた際に、図８（Ｂ）に示したように、後輪の旋回内輪３ｒｌ側において減衰力の発生タイミングを遅らせるように制御すると、図１１（Ａ）の例と同様に、旋回開始直後の過渡的な荷重変化量が旋回外輪３ｒｒに比較して旋回内輪３ｒｌで小さくなり、これにより後輪３ｒｌ・３ｒｒの荷重の総和が大きくなるため、前記の式１における後輪３ｒｌ・３ｒｒ側のコーナリングフォース（Ｙｒｌ＋Ｙｒｒ）が増大して、ヨー角加速度（ｄγ／ｄｔ）が抑えられ、横加速度の立ち上がりが早くなることで、安定した旋回が可能になる。
【図面の簡単な説明】
【００５６】
【図１】本発明が適用される４輪自動車の概略構成を示す模式図である。
【図２】図１に示したダンパの縦断面図である。
【図３】図１に示したＥＣＵにおける減衰力制御に係る要部の概略構成を示すブロック図である。
【図４】図３に示したロール制御部の概略構成を示すブロック図である。
【図５】図３に示したロール制御部で用いられる車速マップである。
【図６】図３に示した駆動電流設定部で用いられる目標電流マップである。
【図７】図１に示した車両における旋回走行時のコーナリングフォース及びダンパ減衰力の発生状況を示す模式図である。
【図８】図１に示した車両における旋回走行時のコーナリングフォース及びダンパ減衰力の発生状況を示す模式図である。
【図９】前輪及び後輪の旋回内輪側に対して遅延制御を行った場合のヨー角加速度の変化状況に関するシミュレーション結果を示すグラフである。
【図１０】図１に示したＥＣＵに設けられるロール制御部の別の例を示すブロック図である。
【図１１】前輪の旋回内輪側に対して遅延制御を行った場合の前後輪の旋回内輪及び旋回外輪の荷重変化状況を示す模式図である。
【図１２】操舵直後の前輪及び後輪の荷重変化状況を示すグラフ及び模式図である。
【符号の説明】
【００５７】
１  車体
３  車輪
４  ダンパ
７  ＥＣＵ
１０  横Ｇセンサ
５２  減衰力設定部
５３  駆動電流設定部
５５  旋回状態判別部
５６  遅延処理部
１０２  旋回状態判別部
１０３  遅延処理用乗算器
Ｖ  自動車
【図１】
0005154277.tif 000002
【図２】
0005154277.tif 000003
【図３】
0005154277.tif 000004
【図４】
0005154277.tif 000005
【図５】
0005154277.tif 000006
【図６】
0005154277.tif 000007
【図７】
0005154277.tif 000008
【図８】
0005154277.tif 000009
【図９】
0005154277.tif 000010
【図１０】
0005154277.tif 000011
【図１１】
0005154277.tif 000012
【図１２】
0005154277.tif 000013